(57)【要約】【課題】玉巻品の内側から糸を引き出して使用する際の作業性を向上させること。【解決手段】  毛糸その他の糸に関し、外形において略回転楕円体形であって回転軸部分が中空の玉巻品に使用する絡まり予防具１であって、中空部に差し込む、玉巻品の軸長より長い管部２と、管部２の玉巻品への差込側の末端に接合ないし一体形成させた、管部２より大径の、表面が円滑な案内部３と、を有し、案内部３は有孔であって管部２と連通し、糸を、玉巻品中空部にて案内部３から通して玉巻品外側に飛び出た管部２他端から取り出せるようにし、更に、複数本の糸が進入する際には取り出しの抵抗が大きくなる案内部の孔としたことを特徴とする絡まり予防具１【選択図】図１
2019070209.tif 000002
【特許請求の範囲】
【請求項１】
毛糸その他の糸に関し、外形において略回転楕円体形であって回転軸部分が中空の玉巻品に使用する絡まり予防具であって、
中空部に差し込む、玉巻品の軸長より長い管体と、
管体の玉巻品への差込側の末端に接合ないし一体形成させた、管体より大径の、表面が円滑な案内体と、
を有し、
案内体は有孔であって管体と連通し、糸を、玉巻品中空部にて案内体から通して玉巻品外側に飛び出た管体他端から取り出せるようにし、
更に、複数本の糸が進入する際には取り出しの抵抗が大きくなる案内体の孔としたことを特徴とする絡まり予防具。
【請求項２】
案内体は、椀鍔体、半球体、紡錘体、または、球体であることを特徴とする請求項１の絡まり予防具。
【請求項３】
玉巻品を収容する容器を有し、
管体の容器からの抜け出しを規制する、または、管体の容器に対する位置を規制する規制部を設けたことを特徴とする請求項１または２に記載の絡まり予防具。
【発明の詳細な説明】
【技術分野】
【０００１】
本発明は、毛糸玉のような玉巻品に使用する糸の絡まり予防具に関する。
【背景技術】
【０００２】
従来、毛糸玉の中すなわち内側から毛糸を引き出して編み物をする際、しばらくすると、毛糸が絡んだ状態で外に飛び出し編み物の作業性が悪くなるという問題点があった。これは、毛糸だけでなく、糸が玉巻きされたいわゆる玉巻品あれば引き出しの際に同様のトラブルが生じうる。
【先行技術文献】
【特許文献】
【０００３】
特開２００９−９７１２７
【発明の概要】
【発明が解決しようとする課題】
【０００４】
本発明は、玉巻品の内側から糸を引き出して使用する際の作業性を向上させることを目的とする。
【課題を解決するための手段】
【０００５】
請求項１に記載の絡まり予防具は、毛糸その他の糸に関し、外形において略回転楕円体形であって回転軸部分が中空の玉巻品に使用する絡まり予防具であって、中空部に差し込む、玉巻品の軸長より長い管体と、管体の玉巻品への差込側の末端に接合ないし一体形成させた、管体より大径の、表面が円滑な案内体と、を有し、案内体は有孔であって管体と連通し、糸を、玉巻品中空部にて案内体から通して玉巻品外側に飛び出た管体他端から取り出せるようにし、更に、複数本の糸が進入する際には取り出しの抵抗が大きくなる案内体の孔としたことを特徴とする。
【０００６】
すなわち、請求項１にかかる発明は、安定的に玉巻品内に収まり、引き出される糸部分が内側の残余の糸に対して接触せず、絡まりを防止して毛糸を外へ送り出すことができ、かつ、絡まりが生じた場合であっても初期にその絡まりを感知して早期にほつれ直しが可能となる。
【０００７】
糸は、毛糸に限定されず、細い糸、例えばレース糸や、反対に太い糸すなわち紐や縄も含み、また、ある程度幅のあるテープも本願では糸に含まれるものとする。
略回転楕円体形とは、球形を当然に含む。また、陸上競技トラックを回転させたような、フロート様形状も含まれる。
回転軸部分が中空に形成されたとは、必ずしも円柱形状として欠落していることを意味するのでなく、糸が内側から取り出せるような空洞が形成されていれば足りるものとする。
玉巻品は、玉巻きされた糸の塊をいい、毛糸であれば毛糸玉をいう。この意味で、玉巻品を糸玉と表現することもできる。
管体は、円管が好ましいが、角管その他の管形状であってもよい。管体の長さは、玉巻品の軸高さ以上であれば良いが、上限は１．５倍までの長さとするのが好ましい。素材は特に限定されないが、たとえば、汎用プラスチックのうち、ある程度柔軟なチューブを形成可能な素材を挙げることができる。
案内体の径は、中空部分に押し込める大きさであれば特に限定されない。案内体の素材は、汎用プラスチック、木、金属とすることができる。また、重量は、毛糸玉の重量の０．５倍〜３倍とするのが好ましい。毛糸玉の重量は５０ｇ前後のものが多いので、たとえば、５０ｇ〜１５０ｇとすることができる。
なお、一体成形の場合は、管体と案内体は管部と案内部と表現することができる。このとき、両者の境界は明瞭でなくともよく、長尺の涙型・涙滴型のようなものも含まれる。
取り出しの抵抗が大きくなる案内体の孔とは、たとえば、孔の径によるものとすることができる。このほか、孔断面の形状、孔表面の摩擦抵抗によるものとしてもよい。
【０００８】
請求項２に記載の絡まり予防具は、請求項１の絡まり予防具において、案内体は、椀鍔体、半球体、紡錘体、または、球体であることを特徴とする。
【０００９】
すなわち、請求項２にかかる発明は、円滑な案内を実現できる。
【００１０】
椀鍔体は、中実であっても殻構造であってもよい。半球体も中実であっても殻構造であってもよい。なお、毛糸の円滑な案内をすべく、椀鍔体も半球体も、糸の導入口から管体方向に向かう側に拡径する配向とすることはいうまでもない。
【００１１】
請求項３に記載の絡まり予防具は、請求項１または２に記載の絡まり予防具において、玉巻品を収容する容器を有し、管体の容器からの抜け出しを規制する、または、管体の容器に対する位置を規制する規制部を設けたことを特徴とする。
【００１２】
すなわち、請求項３にかかる発明は、より安定的に管体を玉巻品内に収めることができ、引き出される糸部分が内側の残余の糸に対して接触せず、絡まりを防止して毛糸を外へ送り出すことができる。
【００１３】
規制部は、仕様の態様により、保持部ということもできる。規制の方法は特に限定されないが、たとえば、容器を蓋付き円柱容器とし、蓋中央に管体外径と同径の挿通孔を開けるようにして規制する例を挙げることができる。
【発明の効果】
【００１４】
本発明によれば、玉巻品の内側から糸を引き出して使用する際に、絡まりを予防し、防止し、または、早期発見できるようにし、作業性を向上させることができる。
【図面の簡単な説明】
【００１５】
【図１】実施の形態１の絡まり予防具の構成例を示した説明図である。このうち（ａ）は全体像を、（ｂ）は案内部３の孔側から見た部分拡大図である。
【図２】実施の形態１の絡まり予防具の使用例を示した説明図である。図では、整然と巻かれた玉巻品内側から離れた毛糸部分を明示的に描画している。
【図３】案内体の他の構成例を示した説明図である。
【図４】実施の形態２の絡まり予防具の外観構成図である。
【発明を実施するための形態】
【００１６】
＜実施の形態１＞
以下、本発明の実施の形態を図面を参照しながら詳細に説明する。
図１は、実施の形態１の絡まり予防具の構成例を示した説明図である。図２は、実施の形態１の絡まり予防具の使用例を示した説明図である。図３は、案内体の他の構成例を示した説明図である。なお、図では説明の便宜上必ずしも縮尺を統一していない。
【００１７】
実施の形態１では、市販の毛糸玉（軸長さ約１５０ｍｍ，最大直径１１０ｍｍ）の内側から毛糸（並太，直径概ね２．５ｍｍ）を取り出す際に使用する絡まり予防具について説明する。
【００１８】
絡まり予防具１は、管部２と、案内部３とにより構成される。管部２は、外径８ｍｍ、内径５ｍｍ、長さ１８０ｍｍのシリコンチューブである。案内部３は、直径２５ｍｍの木製球であって、直径７．９ｍｍの孔が球の中心を通るように空けてあり、この孔に管部２が挿入されている。なお、球とチューブとの端面がそろうように押し込まれている。
【００１９】
使用に際しては、図２に示したように、毛糸玉Ｋの内側から毛糸の先端を取り出し、これを案内部３から管部２へ通したあと、案内部３を毛糸玉Ｋの内側に挿入する。このとき、管部２の端は毛糸玉Ｋの外側にある（逆に言えば、そのような管部２の長さとしている）。あとは、普通に引き出せば（使用すれば）よい。編み物をするのであれば、普通に編んでいけばよい。
【００２０】
従来では、毛糸玉の内側から糸を繰り出して編み物をする場合、往々にして、中で毛糸が互いに接触しまた交差しあったりして絡まり、もつれた塊が形成され外側に出てくるようになる。
一方、絡まり予防具１では、案内部３が毛糸玉Ｋ内側といわば点接触し、引き出される毛糸も、毛糸玉Ｋの内側面を構成する他の毛糸部分との接触機会を少なくして（糸の自由度を少なくして）円滑に案内部３に案内されていくので絡まり難くなる。また、絡まりが生じた場合でも、案内部３に進入していく際に、急に引き出し抵抗が変わるので、使用者は早期に絡まりを発見できる。この場合、絡まり予防具１を引き抜けば、絡まりはじめの状態であるのですぐほどくことができる。なお、シリコンチューブの長さ、表面の抵抗、そして木製球の重さに起因するが、絡まり予防具１が毛糸玉Ｋから抜け出すことはほとんどないようにすることもできる。
【００２１】
絡まり予防具１は、上記の実施の形態に限定されない。たとえば、管部２の素材は、ウレタン、ＰＰ、ＰＥＴなどとすることができ、また、外径は、４ｍｍ〜１５ｍｍ、内径は、３ｍｍ〜１１ｍｍ、長さは、１００ｍｍ〜２００ｍｍとすることができる。
また、案内部３は、図３に示した様に、多様な形態をとることができる。図では、殻様椀鍔型（ａ）、中実椀鍔型（ｂ）、半球型（ｃ）、球形（ｄ）、紡錘型（ｅ）、フロート型（ｆ）を示している。素材も、金属、石、ガラスなどとすることができる。なお、大径部分は、直径６ｍｍ〜３５ｍｍとすることができる。
【００２２】
＜実施の形態２＞
実施の形態２では、管部と案内部とが一体成形され、毛糸玉を収容する容器を含む絡まり予防具について説明する。
【００２３】
図４に示した様に、絡まり予防具６は、略涙型であって細長い管部７と膨らみを持つ底である案内部８と、容器９と、により構成される。
【００２４】
管部７と案内部８とは、木材から切り出された一体ものであり、長手方向に空けられた孔を有する。ただし、この孔部分には、糸の引き出しに際してある程度の抵抗が発生するように、ラバーコーティングが施されている（図示せず）。
また、管部７の中途には、蛇腹様に大径と小径が繰り返される波形７１が形成されている。
【００２５】
容器９は、透明プラスチックからなる円柱形であって本体部９１と蓋部９２により構成される。蓋部９２と本体部９１の上部には溝が切られており螺合する。
さらに、蓋部９２の中心には孔があけられ、縁にゴム円環９２１がはめ込まれている。
【００２６】
使用に際しては、毛糸玉Ｋの内側から毛糸を引き出し、案内部８から毛糸を通して管部７へ導く。次いで管部７をゴム円環９２１に刺し、毛糸玉Ｋごと絡まり予防具６を本体部９１に収容する。蓋部９２を螺合して容器９を閉め、最後に、波形７１を利用して絡まり予防具６を適切な高さに保持する。
【００２７】
絡まり予防具６は以上の構成であって毛糸玉Ｋが動かず、管部７（案内部８）も動かないので、常に円滑な毛糸の繰り出しが可能となり、また、絡まりが生じた場合でも早期に気づくことができる。
【産業上の利用可能性】
【００２８】
管部２を、挿通する毛糸の色と同色として、毛糸玉ごとに絡まり予防具１の色分けがされるようにしても良い。
【符号の説明】
【００２９】
１，６  絡まり予防具
２，７  管部
３，８  案内部
９        容器
７１     波形
９１     本体部
９２     蓋部
９２１  ゴム円環
Ｋ        毛糸玉
【図１】
2019070209.tif 000003
【図２】
2019070209.tif 000004
【図３】
2019070209.tif 000005
【図４】
2019070209.tif 000006
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
毛糸その他の糸に関し、外形において略回転楕円体形であって回転軸部分が中空の玉巻品に使用する絡まり予防具であって、
中空部に差し込む、玉巻品の軸長より長い管体と、
管体の玉巻品への差込側の末端に接合ないし一体形成させた、管体より大径の、表面が円滑な案内体と、
を有し、
案内体は有孔であって管体と連通し、糸を、玉巻品中空部にて案内体から通して玉巻品外側に飛び出た管体他端から取り出せるようにしたことを特徴とする絡まり予防具。
【請求項２】
案内体は、椀鍔体、半球体、紡錘体、または、球体であることを特徴とする請求項１の絡まり予防具。
【請求項３】
玉巻品を収容する容器を有し、
管体の容器からの抜け出しを規制する、または、管体の容器に対する位置を規制する規制部を設けたことを特徴とする請求項１または２に記載の絡まり予防具。
【手続補正２】
【補正対象書類名】明細書
【補正対象項目名】０００５
【補正方法】変更
【補正の内容】
【０００５】
請求項１に記載の絡まり予防具は、毛糸その他の糸に関し、外形において略回転楕円体形であって回転軸部分が中空の玉巻品に使用する絡まり予防具であって、中空部に差し込む、玉巻品の軸長より長い管体と、管体の玉巻品への差込側の末端に接合ないし一体形成させた、管体より大径の、表面が円滑な案内体と、を有し、案内体は有孔であって管体と連通し、糸を、玉巻品中空部にて案内体から通して玉巻品外側に飛び出た管体他端から取り出せるようにしたことを特徴とする。